(57)【要約】【課題】コンパクトな印象を与えられると共に、設置面積の大幅な増加を抑制することができる食器洗浄機を提供する。【解決手段】食器洗浄機１は、天面部２１と、両側面部（右側面部２２，左側面部２３）と、背面部２４と、底面部２５とが一体的に形成され、これらに囲まれた空間により、洗浄槽が形成された本体部２と、本体部２の開口を塞ぐ扉部３、本体部２の背面に配置されたタンク４とを備えている。本体部２の背面部２４には、食器洗浄機１の電源を供給する電源ケーブル２７ａと、洗浄槽からの洗浄水を排出するためのドレインホース２７ｂと、タンク４とが配置されている。【選択図】図１
2019141346.tif 000002
【特許請求の範囲】
【請求項１】
洗浄槽を有する本体部と、前記洗浄槽に配置された食器への洗浄水を給水するための給水口を有し、洗浄水を貯留するタンクとを備え、
前記本体部の背面部には、前記洗浄槽からの洗浄水を排出するためのドレインホースと、前記タンクとが配置された食器洗浄機。
【請求項２】
前記タンクは、前記本体部の正面視において、前記本体部と重なる請求項１記載の食器洗浄機。
【請求項３】
前記タンクは、カートリッジ型に形成され、
前記背面部に、前記タンクを支持する棚部が形成され、
前記ドレインホースは、前記棚部の下方の背面部に配置された請求項１または２記載の食器洗浄機。
【請求項４】
前記棚部に、前記タンクの下部に形成された取水口と連結して、前記タンク内の洗浄水を導入するためのジョイント部が形成され、
前記背面部の上部と前記タンクの上部とが接続される接続部が形成された請求項３記載の食器洗浄機。
【請求項５】
前記接続部は、本体側凹部とタンク側凸部が嵌合して、前記本体部と前記タンクとを接続するものであり、
前記本体側凹部は、前記背面部と天面部とに跨る凹み部と、前記凹み部の底面に上方へ向かって突出した突起部とが形成されたものであり、
前記タンク側凸部は、前記背面部に向かって出っ張り、前記本体側凹部に嵌合する凸部と、前記凸部の底面に形成され、前記突起部を挿入させるための下方に向く穴部とが形成されたものである請求項４記載の食器洗浄機。
【請求項６】
前記タンクの本体側とは反対のおもて面には、手を挿入するための凹部が形成された請求項３から５のいずれかの項に記載の食器洗浄機。
【請求項７】
前記タンクの側面部は、透明または水位が視認可能な半透明に形成された請求項１から６のいずれかの項に記載の食器洗浄機
【発明の詳細な説明】
【技術分野】
【０００１】
本発明は、食器を洗浄槽に配置して洗浄する食器洗浄機に関し、特に、洗浄水を貯留するタンクを有する食器洗浄機に関するものである。
【背景技術】
【０００２】
食器洗浄機は、食器を自動的に洗浄するため、手洗いなどの手間が掛からないので利便性の高い。食器洗浄機には、洗浄水を直接水道管から取り入れるものがあるが、水道管からからでなく、タンクに洗浄水を貯留させ、タンクから洗浄水を取り込むことにより食器を洗浄するものがある。タンクに洗浄水を貯留させることにより、水道管に接続する配管作業が不要となるため、食器洗浄機の設置が容易となる。
【０００３】
このようなタンクを有する食器洗浄機として、特許文献１から４のものが知られている。特許文献１に記載の食器洗浄機は、食器洗浄機本体の側面に洗浄に必要な洗浄水を貯えるタンクを備えたものである。
特許文献２，３に記載の食器洗浄機は、洗浄機本体の下部に、前面から出し入れ可能なカートリッジ式の貯水タンクを備えたものである。
特許文献４に記載の食器洗い機は、筐体の上部に貯水タンクを備えたものである。
【先行技術文献】
【特許文献】
【０００４】
【特許文献１】特開２０００−２４５６７７号公報
【特許文献２】特開２０００−２９６０９２号公報
【特許文献３】特開２００２−０７８６６１号公報
【特許文献４】特開２００６−１６７３４７号公報
【発明の概要】
【発明が解決しようとする課題】
【０００５】
特許文献１から４の従来の食器洗浄機によれば、洗浄水を貯留するタンクが本体の側部、上部または下部に配置されているため、本体部の幅が広くなったり、高さが高くなったりする。従って、食器洗浄機を正面から見た大きさが大きくなるため、食器洗浄機の大きさが大きくなった印象を与えてしまう。また、本体部の側部にタンクを配置すると設置面積が増える。
【０００６】
そこで本発明は、コンパクトな印象を与えられると共に、設置面積の大幅な増加を抑制することができる食器洗浄機を提供することを目的とする。
【課題を解決するための手段】
【０００７】
本発明の食器洗浄機は、洗浄槽を有する本体部と、前記洗浄槽に配置された食器への洗浄水を給水するための給水口を有し、洗浄水を貯留するタンクとを備え、前記本体部の背面部には、前記洗浄槽からの洗浄水を排出するためのドレインホースと、前記タンクとが配置されたことを特徴とするものである。
【０００８】
本発明の食器洗浄機によれば、タンクを本体部の上部や側面に配置した場合と比較して、同じ容量のタンクを本体部の背面に配置することにより、例え、タンクの高さ位置が本体部の天面部からはみ出したり、タンクの幅が本体部の側面部からはみ出したりしたとしても、タンクの高さや幅を低く抑えることができる。
本体部の背面部には、ドレインホースが配置されている。従って、本体部の背面部に取り付けられたタンクに、後方側への厚みがあったしても、ドレインホースの配管に必要な壁面との隙間にタンクを位置させることができるため、大幅な設置面積の増加を抑制することができる。
【０００９】
前記タンクは、前記本体部の正面視において、前記本体部と重なると、高さや幅を抑えられるだけでなく、正面視したときにタンクの存在を隠すことができる。
【００１０】
前記タンクは、カートリッジ型に形成され、前記背面部に、前記タンクを支持する棚部が形成され、前記ドレインホースは、前記棚部の下方の背面部に配置されたものとすることができる。タンクを持ち運ぶことができ、タンクとドレインホースとが干渉することなくタンクを本体部に配置することができる。
【００１１】
前記棚部に、前記タンクの下部に形成された取水口と連結して、前記タンク内の洗浄水を導入するためのジョイント部が形成され、前記背面部の上部と前記タンクの上部とが接続される接続部が形成されたものとすることができる。カートリッジ型のタンクの底部と上部とを、本体部の上部と下部とに、着脱自在に固定することができる。
【００１２】
前記接続部は、本体側凹部とタンク側凸部が嵌合して、前記本体部と前記タンクとを接続するものであり、前記本体側凹部は、前記背面部と天面部とに跨る凹み部と、前記凹み部の底面に上方へ向かって突出した突起部とが形成されたものであり、前記タンク側凸部は、前記背面部に向かって出っ張り、前記本体側凹部に嵌合する凸部と、前記凸部の底面に形成され、前記突起部を挿入させるための下方に向く穴部とが形成されたものとすることができる。タンクを上方へ引き上げることで本体側凹部からタンク側凸部が外れ、タンクの取り外しができる。また、タンクを下ろすことで本体側凹部にタンク側凸部が嵌合して、タンクの本体部へのセットを完了させることができる。従って、タンクを本体部に容易に脱着させることができる。
【００１３】
前記タンクの本体側とは反対のおもて面には、手を挿入するための凹部が形成されたものとすることができる。凹部を取っ手とすることにより、タンクの後方への厚みを増加させることなく、取っ手を形成することができる。
【００１４】
前記タンクの側面部は、透明または水位が視認可能な半透明に形成されたものとすることができる。本発明の食器洗浄機を台所に設置して側面を見たときに、タンクの側面部を、透明または水位が視認可能な半透明とすれば、使用者が洗浄水の残量を一目で把握することができる。
【発明の効果】
【００１５】
本発明の食器洗浄機によれば、タンクの高さや幅を低く抑えることができるので、コンパクトな印象を与えられると共に、設置面積の大幅な増加を抑制することができる。
【図面の簡単な説明】
【００１６】
【図１】本発明の実施の形態に係る食器洗浄機を示す斜視図である。
【図２】図１に示す食器洗浄機の正面図である。
【図３】図１に示す食器洗浄機の操作パネルの図である。
【図４】図１に示す食器洗浄機の蓋部を開けた状態の斜視図である。
【図５】図１に示す食器洗浄機の右側面図ある。
【図６】図１に示す食器洗浄機の背面図ある。
【図７】図７に示す食器洗浄機の電源ケーブルの配線状態とドレインホースの配管状態を説明するための部分拡大図である。
【図８】図７に示す食器洗浄機のタンクを取り外した状態の背面側から見た斜視図である。
【図９】図１に示す食器洗浄機のタンクの裏面側から見た斜視図である。
【図１０】図９に示すタンクの右側面図である。
【図１１】図９に示すタンクのおもて面側から見た図である。
【発明を実施するための形態】
【００１７】
本発明の実施の形態に係る食器洗浄機を図面に基づいて説明する。なお、本明細書においては、使用者を向いた側を食器洗浄機の前、反対側を後ろとして説明する。
図１および図２に示す食器洗浄機１は、食器を自動的に洗浄する乾燥機能付きの洗浄機である。
食器洗浄機１は、前面が開口した箱状に形成された本体部２と、本体部２の開口を塞ぐ扉部３、本体部２の背面に配置されたタンク４とを備えている。
本体部２は、天面部２１と、両側面部（右側面部２２，左側面部２３）と、背面部２４と、底面部２５とが一体的に形成され、これらに囲まれた空間により、洗浄槽Ｗ（図４参照）が形成されている。
【００１８】
図４に示す洗浄槽Ｗには、扉部３を開けたときに、扉部３の操作と連動して前方に引き出される、食器を載置するためのラック部Ｒが設けられている。
本体部２の底面部２５の前部には、図３に示す操作パネル２５ａが形成されている。操作パネル２５ａには、電源の投入／切断、開始／停止、洗浄モードなどを設定するスイッチと、状態表示、時間表示などを示すランプが設置されている。
【００１９】
図６から図８に示す本体部２の背面部２４には、タンク４を支持する棚部２６が形成されている。棚部２６には、タンク４と連結して、タンク４内の洗浄水を導入するためのジョイント部２６ａ（図６および図８参照）が形成されている。
棚部２６の下方の背面部２４には、食器洗浄機１の電源を供給する電源ケーブル２７ａおよびドレインホース２７ｂを接続するための排水口２７ｃが配置されている。
【００２０】
タンク４は、洗浄槽Ｗに配置された食器への洗浄水を貯留するカートリッジ型に形成されたタンクである。タンク４は、透明部材により形成されている。
図９から図１１に示すタンク４は、背面視して上部の角部が丸みを帯びた略長方形状に形成されている。
【００２１】
タンク４の側面部（右側面部４４，左側面部４５）は、本体部２の側面部（右側面部２２，左側面部２３（図１参照））と連続した面に形成されている。また、タンク４の天面部４８と、本体部２の天面部２１とは、連続した面に形成されている。
食器洗浄機１の正面視において、タンク４は本体部２に重なり隠れ、栓部Ｃが見える。
【００２２】
タンク４の本体側となる裏面４６とは反対の食器洗浄機１の背面となるおもて面４７（図１０，図１１参照）には、手を挿入するための凹部４１が形成されている。
タンク４の下部には、ジョイント部２６ａ（図８参照）に挿入することで連結する突起状の取水口４２が形成されている。また、タンク４の上面部には給水口４３が形成され、給水口４３は栓部Ｃにより閉鎖されている。
【００２３】
そして、本体部２における背面部２４の上部２４ａ（図８参照）とタンク４の上部とが接続される接続部５が形成されている。ここで、接続部５について詳細に説明する。
【００２４】
接続部５は、本体部２に形成された図８に示す本体側凹部５１と、図９および図１０が示すタンク側凸部５２が嵌合して、本体部２とタンク４とを接続するものである。
図８に示す本体側凹部５１は、背面部２４と天面部２１とに跨る凹み部５１ａと、凹み部５１ａの底面に、上方へ向かって突出した突起部５１ｂとが形成されたものである。
図９および図１０に示すタンク側凸部５２は、背面部２４に向かって出っ張り、本体側凹部５１に嵌合する凸部５２ａと、凸部５２ａの底面に形成され、突起部５１ｂを挿入させるための下方に向く有底の穴部５２ｂとが形成されたものである。
【００２５】
以上のように構成された本発明の実施の形態に係る食器洗浄機１の使用状態を図面に基づいて説明する。
まず、図９から図１１に示すタンク４に給水するときには、タンク４のおもて面４７に形成された凹部４１に手を挿入して引き上げる。タンク４は、タンク４の取水口４２が、図８に示す本体部２のジョイント部２６ａに連結し、タンク側凸部５２が本体側凹部５１に嵌合している。
【００２６】
そのため、タンク４を引き上げることで、給水口４３がジョイント部２６ａから引き出され、穴部５２ｂが突起部５１ｂから外れ、凸部５２ａが凹み部５１ａから外れて、タンク側凸部５２が本体側凹部５１から引き出される。
タンク４が本体部２から外れることで、タンク４は上方のみの移動から左右方向や後方への移動も可能となる。
【００２７】
従って、タンク４のおもて面４７の凹部４１に手を挿入した状態で、タンク４を本体部２から外して自在に持ち運ぶことができる。また、タンク４を持ち運ぶため凹部４１が取っ手として機能するため、タンク４の後方への厚みを厚くすることなく、取っ手を形成することができる。
そして、タンク４の給水口４３の栓部Ｃを開け、給水する。タンク４は、透明部材により形成されているため、使用者は給水量を一目で把握することができる。タンク４への給水が完了すると、タンク４の取り外しと反対の操作で、タンク４を本体部２へ取り付ける。
【００２８】
タンク４を上方へ引き上げ、給水すると下方へ下ろすことにより本体部２へ取り付けることができる。そのため、図１に示す食器洗浄機１が台所の壁面に接近して設置されるため、壁面との間に隙間が狭くても、タンク４を本体部２へ容易にスムーズに取り付けることができる。
【００２９】
食器洗浄機１を使用するときには、図４に示す洗浄槽Ｗのラック部Ｒに載置された食器を洗浄する洗浄水は、図９に示すタンク４の取水口４２から、図８に示す本体部２のジョイント部２６ａへ流れ、本体部２の内部に形成された旋回ノズル（図示せず）から噴射されることで、食器を洗浄することができる。
【００３０】
食器洗浄機１を使用すると、タンク４に貯留された洗浄水が減少する。タンク４は側面部（右側面部４４，左側面部４５）を含む全体が透明であるため、洗浄水の残量を一目で把握することができる。
【００３１】
以上、本発明の食器洗浄機によれば、タンクを本体部の上部や側面に配置した場合と比較して、同じ容量のタンクを本体部の背面に配置することにより、例え、タンクの高さが本体部の天面部からはみ出したり、タンクの幅が本体部の側面部からはみ出したりしたとしても、タンクの高さや幅を低く抑えることができる。
【００３２】
特に、本実施の形態に係る食器洗浄機１では、図１に示すように、タンク４の天面部４８と本体部２の天面部２１とが連続した面に形成され、タンク４の天面部４ａと本体部２の天面部２１とが連続した面に形成され、図２に示す食器洗浄機１の正面視において、タンク４は本体部２に重なり隠れている。
従って、食器洗浄機１の高さや幅を抑えられるだけでなく、食器洗浄機１を正面視したときにタンク４の存在を隠すことができる。
【００３３】
図６から図８に示すように、本体部２の背面部２４であり、底面部２５には、ドレインホース２７ｂが配置されている。ドレインホース２７ｂは鋭角には曲げにくいため、ドレインホース２７ｂの配管には本体部２の背面部２４と台所の壁面との間にはある程度の隙間が必要である。
【００３４】
従って、本体部２の背面部２４に取り付けられたタンク４に、後方側への厚みがあったしても、ドレインホース２７ｂの配管に必要な壁面との隙間にタンク４を位置させることができるため、大幅な設置面積の増加を抑制することができる。
よって、食器洗浄機１は、コンパクトな印象を与えられると共に、設置面積の大幅な増加を抑制することができる。
【００３５】
また、本実施の形態では、図８および図９に示すように、本体部２の背面部２４に、タンク４を支持する棚部２６が形成され、電源ケーブル２７ａおよびドレインホース２７ｂが棚部２６の下方の背面部２４に配置されている。そのため、タンク４と、電源ケーブル２７ａおよびドレインホース２７ｂとが干渉することなくタンク４を本体部２に配置することができると共に、電源ケーブル２７ａおよびドレインホース２７ｂを配線および配管することができる。
【００３６】
タンク４が棚部２６に支持され、タンク４の取水口４２がジョイント部２６ａに連結し、本体部２の背面部２４の上部とタンク４の上部とが接続部５により接続されているため、カートリッジ型のタンク４の底部と上部とが、本体部２の上部と下部とに着脱自在に固定することができる。
【００３７】
本体部２とタンク４とに、本体側凹部５１とタンク側凸部５２が嵌合する接続部５が形成されているため、本体側凹部５１にタンク側凸部５２を嵌め込むだけで簡単に、本体部２とタンク４とを連結することができる。
また、タンク側凸部５２により貯留される洗浄水の容量を増加させることができる。
【００３８】
本体側凹部５１は、背面部２４と天面部２１とに跨る凹み部５１ａの底面に、上方へ向かって突出した突起部５１ｂが形成されており、タンク側凸部５２は、背面部２４に向かって出っ張り、本体側凹部５１に嵌合する凸部５２ａの底面に形成され、突起部５１ｂを挿入させるための下方に向く穴部５２ｂが形成されている。
従って、タンク４を上方へ引き上げることでタンク４の取り外しができ、タンク４を下ろすことでタンク４の本体部２へのセットを完了させることができる。従って、タンク４を本体部２に容易に脱着させることができる。
タンク４をカートリッジ型にして、本体部２から着脱自在としたことにより、給水や排水を本体部２からタンク４を外した状態で行えるため利便性が高い。
【００３９】
なお、本実施の形態では、タンク４がカートリッジ型に形成されていたが、本体部２に取り外し不可能に固定されていてもよい。その場合、タンク４に貯留された洗浄水の水位が視認できるよう、カートリッジ型のタンク４と同様に、タンクを透明または半透明とすることが望ましい。
【００４０】
また、本実施の形態では、電源ケーブル２７ａとドレインホース２７ｂとの両方が、本体部２の背面部２４に配置されているが、電源ケーブル２７ａは折り曲げやすいため、右側面部２２または左側面部２３から配線することも可能である。しかし、ドレインホース２７ｂの配管のためのスペースを有効活用できるため、電源ケーブル２７ａも背面部２４に配置することが望ましい。
【００４１】
タンク４は、透明部材により形成されており、タンク４全体が透明であるが、食器洗浄機１を台所に設置して食器洗浄機１の側面を見たときに、使用者が洗浄水の残量を一目で把握することができればよいため、少なくともタンク４の側面部（右側面部４４，左側面部４５）を、透明または水位が視認可能な半透明とすることができる。
更に、本実施の形態では、電源ケーブル２７ａおよびドレインホース２７ｂが背面部２４であり、底面部２５に配置されているが、背面部２４に配置され、タンクと干渉しなければ、背面部２４の上部でも中間部でも、電源ケーブル２７ａおよびドレインホース２７ｂを配置することができる。
【産業上の利用可能性】
【００４２】
本発明は、洗浄槽内の食器を洗浄する洗浄水を貯留するタンクを有する食器洗浄機に好適であり、特に、少人数世帯の向けの食器洗浄機に最適である。
【符号の説明】
【００４３】
１  食器洗浄機
２  本体部
２１  天面部
２２  右側面部
２３  左側面部
２４  背面部
２４ａ  上部
２５  底面部
２５ａ  操作パネル
２６  棚部
２６ａ  ジョイント部
２７ａ  電源ケーブル
２７ｂ  ドレインホース
２７ｃ  排水口
３  扉部
４  タンク
４ａ  天面部
４１  凹部
４２  取水口
４３  給水口
４４  右側面部
４５  左側面部
４６  裏面
４７  おもて面
４８  天面部
５  接続部
５１  本体側凹部
５１ａ  凹み部
５１ｂ  突起部
５２  タンク側凸部
５２ａ  凸部
５２ｂ  穴部
Ｗ  洗浄槽
Ｒ  ラック部
Ｃ  栓部
【図１】
2019141346.tif 000003
【図２】
2019141346.tif 000004
【図３】
2019141346.tif 000005
【図４】
2019141346.tif 000006
【図５】
2019141346.tif 000007
【図６】
2019141346.tif 000008
【図７】
2019141346.tif 000009
【図８】
2019141346.tif 000010
【図９】
2019141346.tif 000011
【図１０】
2019141346.tif 000012
【図１１】
2019141346.tif 000013